(57)【要約】【課題】  被洗浄車両に対して走行する門型洗車機本体に設けた側面ブラシと上面ブラシにより、車体前後面、側面と上面を洗浄すると共に出口リンスノズルから車体面に洗浄水を噴射するようにした門型洗車機において、洗車スペースを小さくした。【解決手段】  門型洗車機本体１の前方に側面ブラシ２３を、その後方に上面ブラシ１６を配置し、上面ブラシ１６は、揺動アーム１０の自由端部に回転自在に支持され、側面ブラシ２３と上面ブラシ１６との間に、出口リンス装置ＲＥの出口リンスノズル３４ｎを配置した。【選択図】    図１
2011020532.tif 000002
【特許請求の範囲】
【請求項１】
門型洗車機本体の前後方向の前方に側面ブラシを、その後方に上面ブラシをそれぞれ配置し、上面ブラシは門型洗車機本体に前後方向に揺動可能に軸支した揺動アームの自由端部に回転自在に支持されてなる、門型洗車機であって、
前記側面ブラシと上面ブラシとの間に、出口リンス装置の出口リンスノズルを配置したことを特徴とする門型洗車機。
【請求項２】
前記請求項１記載のものにおいて、門型洗車機本体には、前記側面ブラシの前方に乾燥ノズルを設けたことを特徴とする、門型洗車機。
【請求項３】
前記請求項１または２記載の門型洗車機を用いて、門型洗車機本体が被洗浄車両に対して往復移動することにより洗車を行う洗車方法であって、
門型洗車機本体の復行時に、出口リンスノズルから洗浄水を噴射しながら側面ブラシで被洗浄車両の後面を洗浄することを特徴とする、門型洗車機の洗車方法。
【発明の詳細な説明】
【技術分野】
【０００１】
本発明は、被洗浄車両に対して相対移動する門型洗車機およびその洗車方法に関する。
【背景技術】
【０００２】
従来、車両洗車位置に停車する被洗浄車両に対して門型洗車機本体を往復移動させることにより洗車を行なうようにした門型洗車機において、洗車機本体の前部から後部に順に乾燥ノズル、上面ブラシおよび側面ブラシが配置されており、上面ブラシを門型洗車機本体に前後方向に揺動可能に軸支した揺動アームに設けて昇降するようにして、揺動式上面ブラシとしたものは公知である（後記特許文献１参照）。
【先行技術文献】
【特許文献】
【０００３】
【特許文献１】特開昭６０−１５４９４１号公報
【発明の概要】
【発明が解決しようとする課題】
【０００４】
ところが、かかる門型洗車機では、揺動式上面ブラシは門型洗車機本体の前後方向に揺動して昇降するため、その上面ブラシと側面ブラシとが干渉しないようにして車高の高い（最近では、車高が２メートル以上の車両が存在する）被洗浄車両を洗浄できるようにすると、門型洗車機本体の前後幅が長くなり、洗車スペースが大きくなるという問題がある。
【０００５】
そこで、門型洗車機の前部に側面ブラシを、その後部に揺動式上面ブラシを配置するようにすれば、それらのブラシの干渉を回避して、洗車スペースを小さくすることができる。
【０００６】
しかしながら、前記のように、門型洗車機の前部に側面ブラシを、その後部に上面ブラシを配置しても、上面ブラシの後方に出口リンスノズルを配置して、門型洗車機本体の往行時に上面ブラシで車体上面を洗浄しながら、上面ブラシによる洗浄後の車体上面を出口リンスノズルから噴射した洗浄水で濯ぐようにすると、前記のような側面ブラシと上面ブラシの配置をしても洗車スペースを小さくすることができないという問題がある。
【０００７】
本発明は、かかる実情に鑑みてなされたもので、前記問題を解決して洗車スペースを小さくできるようにした、新規な門型洗車機およびその洗車方法を提供することを目的とする。
【課題を解決するための手段】
【０００８】
前記目的達成のため、請求項１記載の発明は、門型洗車機本体の前後方向の前方に側面ブラシを、その後方に上面ブラシをそれぞれ配置し、上面ブラシは門型洗車機本体に前後方向に揺動可能に軸支した揺動アームの自由端部に回転自在に支持されてなる、門型洗車機であって、
前記側面ブラシと上面ブラシとの間に、出口リンス装置の出口リンスノズルを配置したことを特徴としている。
【０００９】
前記目的達成のため、請求項２記載の発明は、前記請求項１記載のものにおいて、門型洗車機本体には、前記側面ブラシの前方に乾燥ノズルを設けたことを特徴としている。
【００１０】
前記目的達成のため、請求項３記載の発明は、前記請求項１または２記載の門型洗車機を用いて、門型洗車機本体が被洗浄車両に対して往復移動することにより洗車を行う洗車方法であって、
門型洗車機本体の復行時に、出口リンスノズルから洗浄水を噴射しながら側面ブラシで被洗浄車両の後面を洗浄することを特徴としている。
【発明の効果】
【００１１】
請求項１の発明によれば、上面ブラシは、門型洗車機本体に軸支されてその前後方向に揺動可能な揺動アームに支持されて、前記側面ブラシよりも後方側に配置され、かつ、側面ブラシと上面ブラシとの間に、出口リンスノズルが配置されるので、門型洗車機本体の前後方向の長さを短縮することができ、これにより洗車スペースを小さくすることができる。
【００１２】
請求項２の発明によれば、門型洗車機本体の復行時に、出口リンスノズルから洗浄水を噴射しながら乾燥ノズルからの空気により車両の乾燥を行うときに、出口リンスノズルが門型洗車機本体の出口に対して門型洗車機本体の前方寄りに配置されることから、門型洗車機本体の後側方への飛水を防止することができる。
【００１３】
請求項３の発明によれば、門型洗車機本体の復行時に出口リンスノズルから洗浄水を噴射しながら側面ブラシで被洗浄車両の車体後面を洗浄するときに、出口リンスノズルが側面ブラシの近傍に配置されていることから、側面ブラシによる車体後面洗浄後に、その車体後面を出口リンスノズルからの洗浄水で効果的に濯ぐことができる。
【図面の簡単な説明】
【００１４】
【図１】門型洗車機の側面図
【図２】図１の２−２線に沿う門型洗車機の後面図
【図３】図１の３−３線に沿う門型洗車機の前面図
【図４】図２の４−４線に沿う門型洗車機の上面図
【図５】側面ノズルによる車体前面および側面の洗浄過程を示す図
【図６】入口および出口リンス装置の斜視図
【図７】門型洗車機の洗浄作用を示す図
【発明を実施するための形態】
【００１５】
本発明の実施の形態を、添付図面に例示した本発明の実施例に基づいて以下に具体的に説明する。
【００１６】
図１〜４において、門型洗車機の門型洗車機本体１は、被洗浄車両Ｖを跨ぎ得る門型フレーム２を備える。この門型フレーム２は、その後部の上面フレームが切り欠かれて平面視で凹状に形成されている。この門型フレーム２に設けられた左右一対の前車輪３，３および左右一対の後車輪４，４は、設置面上に敷設される左右一対の走行レール５，５上を往復走行する。前車輪３，３には、門型洗車機本体１に設けた走行モータ６，６が連結され、これらの走行モータ６，６を駆動して門型フレーム２を一対の走行レール５，５上を往復走行させることができる。
【００１７】
門型洗車機本体１の設置面上には、スタート位置カム７が設けられている。また、門型洗車機本体１の主体部分を構成する走行フレーム２には、スタート位置カム７に当たって門型洗車機本体１がスタート位置にあることを検出するスタート位置検出スイッチ８が設けられている。
【００１８】
門型フレーム２の前後方向の後部には、被洗浄車両Ｖの車両上面を洗浄する上面ブラシ装置ＴＢが設けられ、また、その上面ブラシ装置ＴＢよりも前方の、門型フレーム２の前後方向の中間部に、被洗浄車両Ｖの左、右両側面および前後面を洗浄する側面ブラシ装置ＳＢが設けられ、さらに、その前部には、被洗浄車両Ｖの上面を乾燥する昇降可能なトップノズルＴＮおよび被洗浄車両Ｖの側面を乾燥するサイドノズルＳＮよりなる乾燥装置Ｄが設けられている。
【００１９】
乾燥装置Ｄと側面ブラシ装置ＳＢとの間には、入口リンス装置ＲＩが、また、側面ブラシ装置ＳＢと上面ブラシ装置ＴＢとの間には出口リンス装置ＲＥがそれぞれ設けられている。
【００２０】
つぎに、図１，２，４を参照して、上面ブラシ装置ＴＢの構成について説明する。
【００２１】
門型フレーム２の後部の左右両側には、左右一対の揺動アーム１０，１０が同一水平軸線Ｈ−Ｈ上に軸受１１，１２を介してそれぞれ回転自在に支持されている。各揺動アーム１０は、クランク状に形成されており、前記軸受１１，１２に支持される水平な支持軸部１０ａと、支持軸部１０ａの内端に固定されて鉛直方向に延びる内側アーム部１０ｂと、支持軸部１０ａの外端に固定されて鉛直方向に延びる外側アーム部１０ｃとより構成されている。左右の内側アーム部１０ａ，１０ａの自由端部間には、水平方向に延びる回転軸１３が軸受１４，１５を介して回転自在に支持され、この回転軸１３に上面ブラシ１６が一体に回転できるように支持されている。右側の内側アーム部１０の先端部には、回転モータ１７が支持されており、この回転モータ１７の出力軸は、回転軸１３に連結されており、この回転モータ１７の駆動によれば、上面ブラシ１６が回転軸１３と共に回転される。
【００２２】
上面ブラシ１６は、従来公知のもので、合成樹脂製ブラシ毛、ブラシ布帛などにより構成される。
【００２３】
左右の内側アーム部１０ｂ，１０ｂの基端部には、第１バランスウェイト１９1 ，１９1 がそれぞれ固定され、また、左右の外側アーム部１０ｃ，１０ｃの先端部には、第２バランスウェイト１９2 ，１９2 がそれぞれ固定されている。
【００２４】
揺動アーム１０，１０の揺動により、上面ブラシ１６は、支持軸部１０ａ，１０ａ回りに回動しつつ昇降され、そのとき、上面ブラシ１６の一部は、門型フレーム２の後面よりも後方に突出される。
【００２５】
揺動アーム１０の支持軸部１０ａの中間部には、作動アーム２０が固定され、この作動アーム２０と門型フレーム２間には、揺動シリンダ２１が連結されており、この揺動シリンダ２１の伸長作動により、揺動アーム１０を上限位置に回動し、上面ブラシ装置ＴＢは格納位置（図１、実線位置）に保持される。
【００２６】
つぎに、図１，３，４を参照して、側面ブラシ装置ＳＢの構成について説明するに、この側面ブラシ装置ＳＢは、門型フレーム２の左右方向に開閉可能な一対の側面ブラシ２３，２３を備える。門型フレーム２の上部に横架固定した案内レール２４には、一対の移動体２５，２５が、そこに設けた駆動輪２６および従動輪２７を介して接近・離間方向に開閉移動できる支持されている。駆動輪２６には、開閉モータ２８が連結され、この開閉モータ２８の駆動により、各移動体２５は、案内レール２４に沿って走行され、一対の移動体２５、２５は、案内レール２４に沿って相互に、接近・離間可能である。
【００２７】
図３に示すように、一対の移動体２５，２５には、支持筒２９，２９が、その軸線ｌ−ｌを鉛直線ｖ−ｖに対して上から下に向けて門型洗車機本体１の左右方向の外側方に広がる方向に傾斜させて固定されており、それらの支持筒２９，２９には、側面ブラシ２３，２３を設けた回転軸３０，３０が回転自在に貫通支持されており、これらの回転軸３０の各軸線ｌ′−ｌ′は前記支持筒２９，２９の各軸線ｌ−ｌの延長線上にあり、各回転軸３０の傾斜角θは、２°〜７°、好ましくは３°に恒久的に設定される。この傾斜角θは、後に述べるように、バン型のように車高の高い車両およびセダン型のように車高の低い車両のいずれの車両側面の傾斜角にも概ね適合する角度とされる。
【００２８】
各回転軸３０の上端には、移動体２５に支持した回転モータ３１が連結されており、この回転モータ３１の駆動によれば、側面ブラシ２３が正逆回転される。円筒状の側面ブラシ２３は、上部２３ｕと、これよりの小径の下部２３ｌと、上部２３ｕと下部２３ｌとを接続する截頭円錐形の中間部２３ｍとより構成されている。
【００２９】
しかして、側面ブラシ２３の回転軸３０の軸線ｌ′−ｌ′は鉛直線ｖ−ｖに対して上から下に向けて外側方に傾斜していることにより、側面ブラシ２３を被洗浄車両Ｖの、上から下に向けて外側に広がる車両側面に沿わせることができ、側面ブラシ２３の回転による、車両側面の洗浄効果が高められる。
【００３０】
図５に示すように、入口リンス装置ＲＩおよび出口リンス装置ＲＥは、門型フレーム２の内側に支持された門型のリンス管３３，３４を備えており、それらのリンス管３３，３４には、被洗浄車両Ｖに向けた、複数の入口リンスノズル３３ｎ…、出口リンスノズル３４ｎ…がそれぞれ設けられている。門型のリンス管３３，３４の上部中央には、開閉弁３７，３８がそれぞれ接続されており、これらの開閉弁３７，３８は、給水管３９を介して門型フレーム２に設けた給水ポンプＰに接続されている。そして、門型のリンス管３３，３４には、開閉弁３７，３８の開閉制御により、給水ポンプＰからのリンス水（洗剤水、洗浄水など）を選択的に供給することができる。
【００３１】
図１において、３５は、門型フレーム２の前面に設けた洗車制御盤である。
【００３２】
上面ブラシ装置ＴＢによる被洗浄車両Ｖの車両上面の洗浄行程は、従来のものと変わることがなく、走行レール５，５間に停車している被洗浄車両Ｖの前方のスタート位置（待機位置）に門型洗車機本体１が位置している状態で、回転モータ１７の駆動により、上面ブラシ１６を矢印ａ方向に回転し、走行モータ６の駆動により、門型洗車機本体１を図１、矢印ｂ方向に往行させると、回転する上面ブラシ１６の外周面が車両上面に追従接触するように、揺動アーム１０が、その支持軸部１０ａまわりに揺動され、その車両上面をブラシング洗浄する。
【００３３】
図６には、側面ブラシ装置ＳＢによる、車体前面および車体両側面の洗浄行程が示される。
【００３４】
開閉モータ２８，２８の回転により離間位置にある左右移動体２５，２５を相互に閉じ方向に移動させ、門型洗車機本体１の中央部で接近させる。側面ブラシ２３，２３を実線矢印ｃ方向に示すように、側面ブラシ２３，２３を車両前面に接触する側が、車両中心から車車両側面に移動するように回転させる。
【００３５】
門型洗車機１の往走行に伴って、側面ブラシ２３，２３が車両Ｖの前面接触すると、門型フレーム２の走行を停止させる。そして、破線矢印ｄに示すように、側面ブラシ２３，２３が車両前面に接触する側が、車両側面から車両中心へ移動するように回転させて、一対の移動体２５，２５を離間移動する。
【００３６】
一対の移動体２５，２５が離間移動するときに、側面ブラシ２３，２３の直径の小さい下部が車両の前面を洗浄する。このとき、側面ブラシ２３，２３の回転軸３０，３０の傾斜によって、側面ブラシ２３，２３は、車両の前面バンパーＶＢの上面に対して上方から下方へ斜めに移動するので、バンパーＶＢ上面を効果的に洗浄できる。
【００３７】
つぎに、側面ブラシ２３，２３は車両前面の洗浄を終えると、門型洗車機本体１の再往行させると共に側面ブラシ２３，２３を閉じ方向の移動させて、車両側面を洗浄する。
【００３８】
この車両側面を洗浄するとき、側面ブラシ２３，２３は、上から下に向けて門型洗車機本体１の左右方向外側に傾斜（傾斜角２°〜７°好ましくは３°）しているので、車高が高く、側面が鉛直に近い車両の場合にも、また、車高が低く、側面が大きく傾斜した車両の場合にも、その傾斜角を、特に変更しなくとも、側面ブラシ２３、２３を、車体の上下方向にわたって接触させることができ、車両側面を効果的に洗浄をすることができる。
【００３９】
なお、側面ブラシ２３，２３による車両後面も、後述する洗浄時に車両前面と同じように洗浄される。
【００４０】
つぎに、図７を参照して本発明門型洗車機による洗浄作用について説明する。
【００４１】
(1) 図７（Ａ）に示すように、門型洗車機本体１は走行レール５，５左端のスタート位置から往走行を始める。この往走行により入口リンス装置ＲＩの入口リンスノズル３３ｎ…から洗浄水（この実施例では洗剤水）を噴射しながら側面ブラシ２３，２３と上面ブラシ１６により前述のように、被洗浄車両Ｖの、車体前面および両側面と車体上面を洗浄する。
【００４２】
門型洗車機本体１が走行レール５，５の右端の往行終了位置に達すると、入口リンスノズル３３ｎ…からの洗浄水の噴射を停止し、また上面ブラシ１６の回転を停止させ、上面ブラシ１６を上限の格納位置に格納する。
【００４３】
なお、この往走行時は、出口リンス装置ＲＥの出口リンスノズル３４ｎ…からは洗浄水を噴射しない。
【００４４】
(2) つぎに、図７（Ｂ）に示すように、出口リンスノズル３４ｎ…から洗浄水を噴射しながら、門型洗車機本体１の復走行を始める。この復走行により、図６（Ｃ）に示すように、側面ブラシ２３，２３で車体後面を洗浄する。このとき、出口リンスノズル３４ｎ…が、上面ノズル１６と側面ブラシ２３，２３の間にあって、側面ブラシ２３，２３の近傍に位置しているので、側面ブラシ２３，２３による車体後面洗浄後に、その車体後面を出口リンスノズル３４ｎ…から噴射された洗浄水で効果的に濯ぐことができる。
【００４５】
(3) つぎに、側面ブラシ２３，２３による車体後面の洗浄が終わると、側面ブラシ２３，２３の回転を停止させて、側面ブラシ２３，２３を離間させて離間位置に保持する。
【００４６】
(4) つぎに、図７（Ｄ）に示すように、出口リンスノズル３４ｎ…から洗浄水を噴射しながら、トップノズルＴＮおよびサイドノズルＳＮよりなる乾燥ノズル装置Ｄから空気
を噴射して車体面の全域を乾燥する。この乾燥のとき、トップノズルＴＮは、車体に上面形状の凹凸に追従して昇降制御される（トップノズルＴＮの昇降制御は従来公知の昇降制御手段により行う）。
【００４７】
このとき、出口リンスノズル３４ｎ…は、上面ブラシ１６と側面ブラシ２３，２３の間にあって、門型洗車機本体１の後面、すなわちその出口に対して門型洗車機本体１の前方に寄った位置に配置されるので、出口リンスノズル３４ｎ…から噴射された洗浄水が、乾燥装置ＤのトップノズルＴＮおよびサイドノズルＳＮから噴射した空気流により発生する風でその出口を通して門型洗車機本体１の後方へ飛散するのを防止することができる。
【００４８】
以上、本発明の実施例について説明したが、本発明はその実施例に限定されることなく、本発明の範囲内で種々の実施例が可能である。
【符号の説明】
【００４９】
１・・・・・・・・・門型洗車機本体
１０・・・・・・・・揺動アーム
１６・・・・・・・・上面ブラシ
２３・・・・・・・・側面ブラシ
３４ｎ・・・・・・・出口リンスノズル
ＲＥ・・・・・・・・出口リンス装置
ＴＮ・・・・・・・・乾燥ノズル（トップノズル）
ＳＮ・・・・・・・・乾燥ノズル（サイドノズル）
Ｖ・・・・・・・・・被洗浄車両
【図１】
2011020532.tif 000003
【図２】
2011020532.tif 000004
【図３】
2011020532.tif 000005
【図４】
2011020532.tif 000006
【図５】
2011020532.tif 000007
【図６】
2011020532.tif 000008
【図７】
2011020532.tif 000009